(57)【要約】【課題】混んだ電車内や他の乗り物等の狭い場所でも容易に新聞を読むことができ、しかも新聞をコンパクトにケースに収納できるようにする。【解決手段】表紙部６と裏表紙部８は、新聞の１ページ分の半分の横幅とほぼ同一の広さの横幅と新聞の半分の縦幅よりも若干広い縦幅を有し、透明又は半透明の合成樹脂製の腰のある硬い薄板により形成されている。表紙部６と裏表紙部８は３６０度開閉自在に帯状の背幅部４の両側に連結している。背幅部４の内側には新聞の中央の折り部を装着するためのクリップ１２が設けられている。新聞の中央の折り部をクリップ１２に装着し、表紙部６と裏表紙部８に新聞を重ねて新聞の所望のページを半ページ分ずつ順次読むことができ、しかも表紙部６と裏表紙部８間に折り畳んだ新聞を収納できる。【選択図】　図１
2004082508.tif 000002
【特許請求の範囲】
【請求項１】
表紙部と裏表紙部間に折り畳んだ新聞を収納できるようにするとともに、表紙部と裏表紙部に新聞を重ねて新聞の所望のページを半ページ分ずつ順次読むことができるようにした新聞用ホルダーケースであって、前記表紙部と裏表紙部とを新聞の１ページ分の半分の横幅とほぼ同一の広さの横幅と新聞の縦幅の半分よりも若干広い縦幅を有する透明又は半透明の合成樹脂製の腰のある硬い薄板により形成し、前記表紙部と裏表紙部とを３６０度開閉自在に帯状の背幅部の両側に連結し、前記背幅部の内側に新聞の中央の折り部を装着するためのクリップを設けたことを特徴とする新聞用ホルダーケース。
【請求項２】
前記クリップに筆記具を脱着自在に保持する筆記具取付部を設けたことを特徴とする「請求項１」に記載の新聞用ホルダーケース。
【請求項３】
前記表紙部と裏表紙部を閉じた状態でこれらが開かないようにロックするためのロック部材を設けたことを特徴とする「請求項１」に記載の新聞用ホルダーケース。
【請求項４】
前記背幅部の外側に透明なフイルムシート等によりポケットを設けたことを特徴とする「請求項１」に記載の新聞用ホルダーケース。
【請求項５】
前記表紙部及び／又は裏表紙部の適所に透明なフイルムシートによりポケットを設けたことを特徴とする「請求項１」に記載の新聞用ホルダーケース。
【発明の詳細な説明】
【０００１】
【発明の属する技術分野】
本発明は、新聞の携帯に適し、しかも電車内あるいは他の乗り物等の混雑した狭い空間で新聞を読むのに適した新聞用ホルダーケースに関する。
【０００２】
【従来の技術】
従来の新聞ホルダーは、新聞中央の折れ部を一対の長尺の挟み板で挟んで綴じ込む構造のものが知られている。また、竹の子状の細長い伸縮構造の指示棒の取っ手部に、新聞を挟めるクリップを先端に向けて設けるとともに指示棒の先端にも取っ手部を設け、この先端側取っ手部に取っ手側クリップに向けて別のクリップを設け取っ手部とクリップとの間に新聞の中央折れ部を挟んだ状態で新聞を読むようにした新聞ホルダーが知られている。
【０００３】
【発明が解決しようとする課題】
従来の新聞ホルダーは、企業や銀行、ホテルのロビーなどで、新聞がバラバラにならないように綴じて整理したりするためのものが一般的であり、電車内や屋外で新聞を読むのには適していない。また、携帯式で電車内などでも新聞を読みやすいようにするホルダーであっても、新聞の中央の折れ部をクリップで綴じる構造だけであり、新聞を安定的に支承する台紙や下敷きの役目をする機能を備えていない。そのため、新聞に腰がなく不安定でこれを混雑した電車内で折り返したり、開いて順次ページをめくって読むのが難しいという問題点があった。
本発明は上記問題点を解決することを目的とするものである。
【０００４】
【課題を解決するための手段】
上記目的を達成するため本発明は、表紙部と裏表紙部間に折り畳んだ新聞を収納できるようにするとともに、表紙部と裏表紙部に新聞を重ねて新聞の所望のページを半ページ分ずつ順次読むことができるようにした新聞用ホルダーケースであって、前記表紙部と裏表紙部とを新聞の１ページ分の半分の横幅とほぼ同一の広さの横幅と新聞の縦幅の半分よりも若干広い縦幅を有する透明又は半透明の合成樹脂製の腰のある硬い薄板により形成し、前記表紙部と裏表紙部とを３６０度開閉自在に帯状の背幅部の両側に連結し、前記背幅部の内側に新聞の中央の折り部を装着するためのクリップを設けたものである。
また本発明は、前記クリップに筆記具を脱着自在に保持する筆記具取付部を設けたものである。
また本発明は、前記表紙部と裏表紙部を閉じた状態でこれらが開かないようにロックするためのロック部材を設けたものである。
また本発明は、前記背幅部の外側に透明なフイルムシートによりポケットを設けたものである。
また本発明は、前記表紙部及び／又は裏表紙部の適所に透明なフイルムシート等によりポケットを設けたものである。
【０００５】
【発明の実施の形態】
以下に本発明の実施の形態を添付した図面を参照して詳細に説明する。
２はホルダーケースであり、背幅部４、表紙部６、裏表紙部８、クリップピン１２とから構成されている。前記表紙部６と裏表紙部８は互いに同一の大きさの四角形状を有し、各々の一側部が帯状の背幅部４の両側の固着部４ａ，４ｂに、互いに平行な背幅部４の側縁ラインＳ１，Ｓ２を中心として、３６０度揺動自在に固着されている。
【０００６】
前記背幅部４は、新聞を折り畳んだときの厚さとほぼ同一の横幅を有し、その両側に所定の幅の前記固着部４ａ，４ｂが形成されている。前記ホルダーケース２は、プラスチック、ＰＰポリプロピレン、ＰＥＴ樹脂等の合成樹脂製の透明又は半透明の材料から構成され、表紙部６と裏表紙部８は、新聞の下敷きあるいは台紙として機能し得る程度の剛性すなわち腰のある薄板状の材料により構成されている。前記表紙部６の横幅は図３に示すように、新聞１０の１ページ分の横幅の１／２の値Ｌ１とほぼ同一で、縦幅は、新聞１０の１ページ分の縦幅の１／２の値Ｌ２より若干大きい値に設定されている。
【０００７】
前記背幅部４の内側の上部にはクリップピン１２の押さえ部１２ａが配置され、その上部のストッパー部１２ｂと押さえ部１２ａとで背幅部４を挟圧し、この挟圧構造によりクリップピン１２の上部は背幅部４に脱着可能に固定されている。尚、クリップピン１２のストッパー部１２ｂは、背幅部４に一体的に固設しても良い。１４は平ゴムひもから成るリング状のロック部材であり、背幅部４の下部に取り付けられている。ホルダーケース２を構成する表紙部６、背幅部４，裏表紙部８は、各部を別体部材により構成し、互いに結合した構成でも、また、各部を同一の部材により一体的に構成しても良い。
【０００８】
また、背幅部４の外側に透明なフイルムシート等によりポケット１６を設け、これに広告宣伝用の印刷物を挿入配置できるようにしても良い。また、ポケット１６の表面に広告を印刷しても良い。また、裏表紙部８あるいは表紙部６の適所に透明なフイルムシートによりポケット１８を設け、これにメモ等を差し込むことができるようにしても良い。また、クリップ１２に一体的に筆記具を脱着自在に挿入できる筆記具取付部を設けるようにしても良い。
次に本発明である新聞用ホルダーケースの使用方法について説明する。
【０００９】
新聞１０の中央のページ折り部１０ａを、クリップ１２の押さえ部１２ａに差し込み、図３に示すように、新聞１０をホルダーケース２の表紙部６と裏表紙部８との間に装着する。新聞１０を読むときは、ホルダーケース２を閉じた状態で新聞１０の全体をその中央のセンターラインＣから、裏表紙部８の外側の外側縁８ａを基準として、１８０度外側に折り返す。図４は新聞１０の全体を裏表紙部８の外側縁８ａを基準として１８０度裏返した状態を示している。該状態において、新聞の表面積の大きさはその半分の縦長の状態となる。この状態で、表紙部６の上から新聞１０の１ページ目の右半分１０ｂを読む。
【００１０】
また、新聞１０の１ページ目の左半分１０ｃは、ホルダーケース２を閉じたままで、１８０度裏返して裏表紙部８に重なっている。新聞１０の１ページ目の左半分１０ｃを目の前に向き合わせることにより読む。新聞１０の２ページ目を読むときは、ホルダーケース２を閉じたまま新聞１０の１ページ目の中央を表紙部６の側縁６ａを中心として３６０度表側に折り返し、２ページ目の右半分を表紙部６の表面に重ね、この２ページ目の右半分を目の前に向き合わせて読む。該状態において、２ページ目の左半分は、表紙部６の裏面に重なっている。
【００１１】
従って２ページ目の左半分を読むときは、表紙部６と裏表紙部８を開く。該半開状態において表紙部６の上には、２ページ目の左半分が現れ、裏表紙部８の上には、３ページ目の右半分が現れる。次に、表紙部６と裏表紙部８を閉じる。該状態において、３ページ目の左半分は、裏表紙部８上に現れているので、裏表紙部８を目の前に向け、３ページ目の左半分を読む。次に、ホルダーケース２を閉じたまま３ページ目の中央を表紙部６の側縁６ａを中心として１８０度表側に折り返し、４ページ目の右半分を、表紙部６の上に重ねる。
【００１２】
この動作を新聞１０の最終ページの左半分が裏表紙部８の裏面の上に現れるまで繰り返す。新聞１０の最終ページの左半分は、ホルダーケース２を閉じたまま、裏表紙部８を目の前に向け、裏表紙部８を透して、最終ページの左半分を読む。新聞を読み終わったら、新聞１０の中央部をクリップ１２に装着したまま四つ折りし、表紙部６と裏表紙部８を閉じて、新聞１０を四つ折り状態で表紙部６と裏表紙部８間に収納する。新聞１０を表紙部６と裏表紙部８間に収納した後、ロック部材１４の輪をゴムの弾力に抗して伸ばし図５に示すように表紙部６と裏表紙部８のコーナーに引っ掛ける。これにより、表紙部６と裏表紙部８は、閉じた状態でしっかりとロックされる。ロック部材１４のゴムは、新聞閲覧時には、背幅部４の外側を通ってクリップピン１２の上部に引っ掛けておく。
【００１３】
【発明の効果】
本発明は上述の如く、新聞の半ページ分をホルダーケースを閉じた状態あるいは半開状態で、ホルダーケースを台紙にして順次読むことができる。そのため混雑した電車内、他の乗り物など新聞を大きく広げることができない場所でも容易に新聞を読むことができ、しかも新聞を折り畳んだ状態でケース内に収納できるので携帯にきわめて便利である。また脇にかかえても服が汚れることがなく見た目にも美しい。
【図面の簡単な説明】
【図１】本発明である新聞ホルダーケースを開いた状態を示す内側から見た展開説明図である。
【図２】Ａ−Ａ線断面説明図である。
【図３】本発明の説明図である。
【図４】本発明の説明図である。
【図５】本発明の説明図である。
【図６】ホルダーケースを外側から見た説明図である。
【符号の説明】
２　　　ホルダーケース
４　　　背幅部
６　　　表紙部
８　　　裏表紙部
１０　　新聞
１２　　クリップピン
１４　　ロック部材
１６　　ポケット
１８　　ポケット
【図１】
2004082508.tif 000003
【図２】
2004082508.tif 000004
【図３】
2004082508.tif 000005
【図４】
2004082508.tif 000006
【図５】
2004082508.tif 000007
【図６】
2004082508.tif 000008